(57)【要約】【課題】自己の故障診断を行うことのできる中継装置を提供する。【解決手段】携帯端末機との間で基地局機能として通信を行う第１送受信部と固定基地局との間で携帯電話機機能として通信を行う第２送受信部とを備え、前記携帯端末機と前記固定基地局との通信の中継を担う中継装置は、故障診断を開始するための契機を検知すると、第１送受信部から送信され、第１のケーブルを介して第２送受信部で受信された第１信号を用いて、第１送受信部における基地局としての送信機能と第２送受信部における携帯電話機としての受信機能とに対する故障診断を行い、第２送受信部から送信され、第２のケーブルを介して第１送受信部で受信された第２信号を用いて、第１送受信部における基地局としての受信機能と第２送受信部における携帯電話機としての送信機能とに対する故障診断を行う。【選択図】図２
2011097295.tif 000002
【特許請求の範囲】
【請求項１】
携帯端末機との間で通信を行う第１送受信手段と固定基地局との間で通信を行う第２送受信手段とを備え、前記携帯端末機と前記固定基地局との通信の中継を担う中継装置であって、
自己の故障診断を開始するための契機を検知する検知手段と、
前記故障診断をする場合において、前記第１送受信手段と前記第２送受信手段との間の信号の送受信に用いられる第１及び第２の中継手段と、
前記検知手段により前記契機が検知された場合、前記第１送受信手段から送信され、前記第１の中継手段を介して前記第２送受信手段で受信された第１信号と、前記第２送受信手段から送信され、前記第２の中継手段を介して前記第１送受信手段で受信された第２信号とを用いて、自機の故障診断を行う診断手段と
を備えることを特徴とする中継装置。
【請求項２】
前記診断手段は、
前記第１信号を用いて、前記第１送受信手段における送信機能と前記第２送受信手段における受信機能とに対する故障診断を行い、
前記第２信号を用いて、前記第１送受信手段における受信機能と前記第２送受信手段における送信機能とに対する故障診断を行う
ことを特徴とする請求項１に記載の中継装置。
【請求項３】
前記第１送受信手段は、送信機能を担う第１送信部と、受信機能を担う第１受信部とを備え、
前記第２送受信手段は、送信機能を担う第２送信部と、受信機能を担う第２受信部とを備え、
前記第１送信部は、故障診断時において、前記第１の中継手段を介して前記第２受信部へ前記第１信号を送信し、
前記第２送信部は、故障診断時において、前記第２の中継手段を介して前記第１受信部へ前記第２信号を送信し、
前記診断手段は、
前記第１信号に対するＲＳＳＩ（Ｒｅｃｅｉｖｅｄ  Ｓｉｇｎａｌ  Ｓｔｒｅｎｇｔｈ  Ｉｎｄｉｃａｔｏｒ）に基づいて、前記第１送信部及び前記第２受信部の故障診断を行い、
前記第２信号に対するＲＳＳＩに基づいて、前記第１受信部及び前記第２送信部の故障診断を行い、
前記第１信号に対するＲＳＳＩ及び前記第２信号に対するＲＳＳＩのうち少なくとも一方が、予め定められた範囲内にない場合に、診断対象である送信部及び／又は受信部が異常であると判断する
ことを特徴とする請求項２に記載の中継装置。
【請求項４】
前記診断手段は、
前記範囲内にない信号に対するＲＳＳＩの値が、前記範囲内の上限以上である場合には、当該ＲＳＳＩに対する信号に基づく診断対象である送信部が異常であると判断し、受信すべき信号のＲＳＳＩが正常となるよう当該送信部からの送信電力を下げ、
当該ＲＳＳＩの値が、前記範囲内の下限以下である場合には、送受信電力に係る故障を示す旨情報を外部装置へ通知する
ことを特徴とする請求項３に記載の中継装置。
【請求項５】
前記診断手段は、さらに、
前記第１信号に対するＣＩＮＲ（Ｃａｒｒｉｅｒ  ｔｏ  Ｉｎｔｅｒｆｅｒｅｎｃｅ  ｐｌｕｓ  Ｎｏｉｓｅ  Ｒａｔｉｏ）に基づいて、前記第１送信部及び前記第２受信部との故障診断を行い、
前記第２信号に対するＣＩＮＲに基づいて、前記第１受信部及び前記第２送信部の故障診断を行い、
前記第１信号に対するＣＩＮＲ及び前記第２信号に対するＣＩＮＲのうち少なくとも一方が、予め定められた値以下である場合に、診断対象である送信部及び／又は受信部が異常であると判断する
ことを特徴とする請求項４に記載の中継装置。
【請求項６】
前記診断手段は、さらに、
前記第１信号に対するＢＥＲ（Ｂｉｔ  Ｅｒｒｏｒ  Ｒａｔｅ）に基づいて、前記第１送信部及び前記第２受信部との故障診断を行い、
前記第２信号に対するＢＥＲに基づいて、前記第１受信部及び前記第２送信部の故障診断を行い、
前記第１信号に対するＢＥＲ及び前記第２信号に対するＢＥＲのうち少なくとも一方が、予め定められた値以上である場合に、診断対象である送信部及び／又は受信部が異常であると判断する
ことを特徴とする請求項５に記載の中継装置。
【請求項７】
前記第１の中継手段には、前記診断時には前記第１送信部と前記第２受信部との間を導通し、非診断時には非導通とすべく第１のスイッチを有しており、
前記第２の中継手段には、前記診断時には前記第１受信部と前記第２送信部との間を導通し、非診断時には非導通とすべく第２のスイッチを有しており、
前記第１送信部及び前記第１受信部それぞれには、携帯電話機と通信を行うための第１送信アンテナ及び第１受信アンテナが接続され、
前記第２送信部及び前記第２受信部それぞれには、携帯電話機と通信を行うための第２送信アンテナ及び第２受信アンテナが接続され、
前記検知手段は、当該中継装置を含む通信システムの運用中に、自己の故障診断を開始するための前記契機を検知し、
前記診断手段は、
前記検知手段で前記契機が検知されると、
前記通信システムの運用と並行して前記故障診断を行うべく、前記第１及び前記第２の中継手段双方ともが前記第１送受信手段と前記第２送受信手段との間を導通するよう前記第１及び第２のスイッチの双方ともを制御する
ことを特徴とする請求項６に記載の中継装置。
【請求項８】
前記第１の中継手段には、前記診断時には前記第１送信部と前記第２受信部との間を導通し、非診断時には非導通とすべく第１のスイッチを有しており、
前記第２の中継手段には、前記診断時には前記第１受信部と前記第２送信部との間を導通し、非診断時には非導通とすべく第２のスイッチを有しており、
前記第１送信部及び前記第１受信部それぞれには、携帯電話機と通信を行うための第１送信アンテナ及び第１受信アンテナが接続され、
前記第２送信部及び前記第２受信部それぞれには、携帯電話機と通信を行うための第２送信アンテナ及び第２受信アンテナが接続され、
前記検知手段は、当該中継装置を含む通信システムの運用中に、自己の故障診断を開始するための前記契機を検知し、
前記診断手段は、
前記検知手段で前記契機が検知されると、
前記通信システムの運用と並行して前記故障診断を行うべく、前記第１信号を送信する場合には、前記第１の中継手段が前記第１送信部と前記第２受信部との間を導通するよう前記第１のスイッチを制御するとともに、第２の中継手段が前記第１受信部と前記第２送信部との間を非導通とするよう前記第２のスイッチを制御し、
前記第２信号を送信する場合には、前記第２の中継手段が前記第１受信部と前記第２送信部との間を導通するよう前記第２のスイッチを制御するとともに、第１の中継手段が前記第１送信部と前記第２受信部との間を非導通とするよう前記第１のスイッチを制御する
ことを特徴とする請求項６に記載の中継装置。
【請求項９】
前記診断手段は、
前記第１受信部が携帯電話機から通信に係る要求信号を受信した場合、前記診断を中断又は中止するとともに、前記第１及び前記第２の中継手段それぞれが前記第１送受信手段と前記第２送受信手段との間を非導通となるよう前記第１及び前記第２のスイッチを制御する
ことを特徴とする請求項７又は８に記載の中継装置。
【請求項１０】
前記第２受信部は、故障診断時において、第２受信アンテナ及び前記第２の中継手段を用いて、ハンドオーバーすべく基地局のスキャニングを行っており、
前記第１信号は、当該中継装置を識別する報知情報を含んだ前記スキャニングの対象の信号であり、
前記診断手段は、
前記第２送受信手段による前記スキャニングで受信された信号に当該中継装置を識別する報知情報が含まれている場合に、当該受信した信号を用いて前記第１送受信手段及び前記第２送受信手段の故障を診断する
ことを特徴とする請求項７又は８に記載の中継装置。
【請求項１１】
前記検知手段が前記契機を検知するとは、
前記固定基地局との通信が異常であること、携帯電話機と一定時間以上接続がなされていないこと、予め定められた時刻が到来したこと及び当該中継装置の管理者から故障診断を行う旨の指示を受け付けたことの何れかを検知することである
ことを特徴とする請求項２に記載の中継装置。
【請求項１２】
前記第１及び第２の中継手段それぞれは、第１及び第２のケーブルである
ことを特徴とする請求項１に記載の中継装置。
【請求項１３】
携帯端末機との間で基地局機能として通信を行う第１送受信手段と固定基地局との間で携帯電話機機能として通信を行う第２送受信手段とを備え、前記携帯端末機と前記固定基地局との通信の中継を担う中継装置で用いられる方法であって、
前記中継装置は、
自己の故障診断時において、前記第１送受信手段と前記第２送受信手段との間の信号の送受信に用いられる第１及び第２のケーブルを備え、
前記方法は、
自己の故障診断を開始するための契機を検知する検知ステップと、
前記検知ステップにより前記契機が検知された後、前記第１送受信手段から送信され、前記第１のケーブルを介して前記第２送受信手段で受信された第１信号を用いて、前記第１送受信手段における基地局としての送信機能と前記第２送受信手段における携帯電話機としての受信機能とに対する故障診断を行い、前記第２送受信手段から送信され、前記第２のケーブルを介して前記第１送受信手段で受信された第２信号を用いて、前記第１送受信手段における基地局としての受信機能と前記第２送受信手段における携帯電話機としての送信機能とに対する故障診断を行う診断ステップと
を含むことを特徴とする方法。
【発明の詳細な説明】
【技術分野】
【０００１】
本発明は、携帯電話機と固定基地局との無線通信間に用いられる中継装置における自己の故障診断技術に関する。
【背景技術】
【０００２】
無線通信を安定的に実行させるためには、通信機器の故障を検出することが必要である。そこで、特許文献１では、固定基地局において自己の故障診断を行う技術が開示されている。この技術では、固定基地局は、通常の携帯電話機の通信機能と同等の機能をもつ故障診断専用の端末部を有している。固定基地局は、故障診断時において、当該端末部と通信することで、自己の故障を検出することができる。
【先行技術文献】
【特許文献】
【０００３】
【特許文献１】特開２００６−３１９６１７号公報
【発明の概要】
【発明が解決しようとする課題】
【０００４】
携帯電話機と固定基地局との間に介在して、両者間の無線通信を行う中継装置は、通常、固定基地局と通信する機能と、携帯電話機と通信する機能の両者をもち合わせている。つまり中継装置は、携帯電話機としての機能と、固定基地局としての機能とを有している。
中継装置は、上述したように、２種類の機能を有しているので、故障が発生する可能性が、携帯電話機と通信するための機能のみを有している固定基地局に比べて高い。そのため、中継装置の故障を検出することが望まれている。しかしながら、特許文献１では、固定基地局に対する自己の故障診断を行う技術は開示されているものの、中継装置に対する自己の故障診断を行う技術は開示されていない。
【０００５】
そこで、本発明は、自己の故障診断を行うことのできる中継装置を提供することを目的とする。
【課題を解決するための手段】
【０００６】
上記目的を達成するために、本発明は、携帯端末機との間で通信を行う第１送受信手段と固定基地局との間で通信を行う第２送受信手段とを備え、前記携帯端末機と前記固定基地局との通信の中継を担う中継装置であって、自己の故障診断を開始するための契機を検知する検知手段と、前記故障診断をする場合において、前記第１送受信手段と前記第２送受信手段との間の信号の送受信に用いられる第１及び第２の中継手段と、前記検知手段により前記契機が検知された場合、前記第１送受信手段から送信され、前記第１の中継手段を介して前記第２送受信手段で受信された第１信号と、前記第２送受信手段から送信され、前記第２の中継手段を介して前記第１送受信手段で受信された第２信号とを用いて、自機の故障診断を行う診断手段とを備えることを特徴とする。
【発明の効果】
【０００７】
この構成によると、中継装置は、故障診断用に専門の構成要素を有することなく、自己の故障診断を行うことができる。
【図面の簡単な説明】
【０００８】
【図１】中継装置１０を含む通信システム１の構成を示すブロック図である。
【図２】中継装置１０の構成を示す図である。
【図３】（ａ）は第１送信部１５０の構成を、（ｂ）は第1受信部１５１の構成を、（ｃ）は第２送信部１６０の構成を、（ｄ）は第２受信部１６１の構成を、それぞれ示すブロック図である。
【図４】（ａ）はＲＳＳＩリストＴ１００のデータ構造の一例を、（ｂ）はＣＩＮＲリストＴ２００のデータ構造の一例を、（ｃ）はＢＥＲリストＴ３００のデータ構造の一例を、それぞれ示す図である。
【図５】故障診断処理に係る全体的な処理の動作を示す流れ図である。
【図６】故障診断処理の動作を示す流れ図である。図７へ続く。
【図７】故障診断処理の動作を示す流れ図である。図６から続く。
【図８】ＲＳＳＩを用いた異常判定処理の動作を示す流れ図である。
【図９】ＣＩＮＲを用いた異常判定処理の動作を示す流れ図である。
【図１０】ＢＥＲを用いた異常判定処理の動作を示す流れ図である。
【発明を実施するための形態】
【０００９】
１．第１の実施の形態
本発明に係る第１の実施の形態としての中継装置１０について説明する。
１．１  全体の概要
ここでは、本発明に係る中継装置１０を含む通信システム１の概要について説明する。
通信システム１は、図１にて示すように、中継装置１０、携帯電話機２０、固定基地局30及びメンテナンスサーバ４０から構成されている。
【００１０】
中継装置１０は、送受信される信号の電波が回り込みにくい屋内に存在する携帯電話機２０と、屋外に存在する固定基地局３０との間に介在して、携帯電話機２０と固定基地局３０との間の信号の送受信を行うものであり、比較的小さい範囲を通信範囲とする装置である。
また、中継装置１０は、自己の故障の診断（以下、「故障診断」という。）を行い、異常が検出されると、その旨を固定基地局３０へ通知する。
【００１１】
固定基地局３０は、携帯電話機２０との間において無線通信を行うものである。また、中継装置１０から異常が検出された旨の通知を受け取ると、固定基地局３０とネットワーク（図示せず）を介して接続されたメンテナンスサーバ４０へ通知する。
携帯電話機２０は、中継装置１０及び固定基地局３０を介して他の携帯電話機（図示せず）との間における無線通信を行う。
【００１２】
メンテナンスサーバ４０は、固定基地局３０から中継装置１０が異常を検出した旨の通知を受け取ると、その旨を管理者へ通知する。
また、中継装置１０と携帯電話機２０との間、及び中継装置１０と固定基地局３０との間は、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）による通信方法で通信が行われるものとする。
【００１３】
１．２  中継装置１０の構成
以下、本発明に係る中継装置１０の構成について説明する。
中継装置１０は、図２にて示すように、送信アンテナ１０１、１０２、受信アンテナ１０３、１０４、分配器１０５、１０６、混合器１０７、１０８、第１送受信部１０９、第２送受信部１１０、記憶部１１１、制御部１１２、第１ケーブル１１３、第２ケーブル１１４及びスイッチ１１５〜１２０から構成されている。
【００１４】
中継装置１０は、故障診断時において、第１送受信部１０９と第２送受信部１１０との間で、第１ケーブル１１３及び第２ケーブル１１４を介して信号の送受信を行い、送受信された信号の品質を用いて、自己の故障を診断する。ここで、信号の品質とは、第１送受信部１０９と第２送受信部１１０との間で送受信される信号に対する信号の電力強度を示すＲＳＳＩ（Ｒｅｃｅｉｖｅｄ  Ｓｉｇｎａｌ  Ｓｔｒｅｎｇｔｈ  Ｉｎｄｉｃａｔｏｒ）、雑音比を示すＣＩＮＲ（Ｃａｒｒｉｅｒ  ｔｏ  Ｉｎｔｅｒｆｅｒｅｎｃｅ  ｐｌｕｓ  Ｎｏｉｓｅ  Ｒａｔｉｏ）及び誤り率を示すＢＥＲ（Ｂｉｔ  Ｅｒｒｏｒ  Ｒａｔｅ）で示されるものである。
【００１５】
（１）送信アンテナ１０１、１０２
送信アンテナ１０１は、無線通信により携帯電話機２０へ信号を送信するアンテナである。具体的には、送信アンテナ１０１は、第１送受信部１０９から分配器１０５を介して受け取った信号を携帯電話機２０へ送信する。
送信アンテナ１０２は、無線通信により固定基地局３０へ信号を送信するアンテナである。具体的には、送信アンテナ１０２は、第２送受信部１１０から分配器１０６を介して受け取った信号を固定基地局３０へ送信する。
【００１６】
（２）受信アンテナ１０３、１０４
受信アンテナ１０３は、無線通信により携帯電話機２０からの信号を受信するアンテナである。具体的には、受信アンテナ１０３は、携帯電話機２０から受信した信号を混合器１０７を介して第１送受信部１０９へ出力する。
受信アンテナ１０４は、無線通信により固定基地局３０からの信号を受信するアンテナである。具体的には、受信アンテナ１０４は、固定基地局３０から受信した信号を混合器１０８を介して第２送受信部１１０へ出力する。
【００１７】
（３）分配器１０５、１０６
分配器１０５、１０６は、外部から信号を受け取ると、受け取った信号を２つの経路へ分配して出力するものである。
具体的には、分配器１０５は、第１送受信部１０９から携帯電話機２０へ送信すべき信号を受け取ると、受け取った信号を送信アンテナ１０１及び第１ケーブル１１３へ分配する。また、分配器１０６は、第２送受信部１１０から固定基地局３０へ送信すべき信号を受け取ると、受け取った信号を送信アンテナ１０２及び第２ケーブル１１４へ分配する。
【００１８】
なお、分配器１０５、１０６は、上記にて示す信号の入出力経路以外には信号は流れないものとする。
（４）混合器１０７、１０８
混合器１０７、１０８は、２つの経路から信号を受け取った場合に、受け取った各信号を合成して、外部へ出力するものである。
【００１９】
具体的には、混合器１０７は、受信アンテナ１０３及び第２ケーブル１１４の双方から信号を受け取ると、受け取った信号を合成して第１送受信部１０９へ出力する。また、混合器１０８は、受信アンテナ１０４及び第１ケーブル１１３の双方から信号を受け取ると、受け取った信号を合成して第２送受信部１１０へ出力する。
なお、混合器１０７、１０８は、上記にて示す信号の入出力経路以外には信号は流れないものとする。
【００２０】
（５）第１送受信部１０９
第１送受信部１０９は、中継装置１０と携帯電話機２０との間における信号の送受信と、故障診断時において第２送受信部との間で信号の送受信とを行うものであり、基地局の機能を実現するものである。
第１送受信部１０９は、図２にて示すように、第１送信部１５０、第１受信部１５１及び第１測定部１５２を有している。
【００２１】
（５−１）第１送信部１５０
第１送信部１５０は、携帯電話機２０へ送信すべき信号を送信アンテナ１０１を介して携帯電話機２０へ送信、及び故障診断時において故障診断に用いる信号を第１ケーブル１１３を介して第２送受信部１１０へ送信するものであり、基地局の機能のうち送信に係る機能を実現する。
【００２２】
第１送信部１５０は、通常、携帯電話機２０がハンドオーバーを行なえるようにするために、同期信号及び中継装置１０を識別する報知情報を含む信号（以下、「報知信号」という。）を定期的に出力している。
また、第１送信部１５０は、故障診断時においては、検査用の信号を出力する。ここで、検査用の信号とは、通信システム１の運用上意味をなさないダミーデータを含む信号である。
【００２３】
以下、第１送信部１５０の具体的な構成について説明する。
第１送信部１５０は、図３（ａ）に示すように、変調回路２００及び増幅回路２０１を有している。
変調回路２００は、固定基地局３０から送信され、第２送受信部１１０において復調（デコード）された信号や、検査用の信号を制御部１１２から受け取ると、受け取った信号を符号化（エンコード）し、その後、送信すべき周波数へと変調する回路である。
【００２４】
増幅回路２０１は、変調回路２００にて符号化された信号の電力を、送信すべき電力へと増幅し、増幅された電力にて符号化された信号を分配器１０５へ出力する回路である。
（５−２）第１受信部１５１
第１受信部１５１は、携帯電話機２０からの信号を受信アンテナ１０３を介して受信、及び故障診断時において検査用の信号を第２ケーブル１１４を介して第２送受信部１１０から受信し、受信した信号を増幅及び復調して制御部１１２へ出力するものであり、基地局の機能のうち受信に係る機能を実現する。
である。
【００２５】
以下、第１受信部１５１の具体的な構成について説明する。
第１受信部１５１は、図３（ｂ）にて示すように、フィルタ２１０、増幅回路２１１及び復調回路２１２を有している。
フィルタ２１０は、受信した信号に含まれるノイズを取り除くものである。
増幅回路２１１は、受信した信号の受信電力を復調可能な信号レベルまで増幅する回路である。
【００２６】
復調回路２１２は、符号化（エンコード）された信号を復号（デコード）し、復号した信号を制御部１１２へ出力する回路である。
（５−３）第１測定部１５２
第１測定部１５２は、携帯電話機２０からの信号を受信した場合に、受信した信号のＲＳＳＩ及びＣＩＮＲを測定する。また、第１測定部１５２は、故障診断時において、第２送受信部１１０へ送信する信号の送信電力を測定し、且つ第２送受信部１１０から第２ケーブル１１４を介して受信した検査用の信号に対するＲＳＳＩ及びＣＩＮＲをも測定する。
【００２７】
ＲＳＳＩ及びＣＩＮＲの測定については、公知の技術であるため、ここでの説明は省略する。
（６）第２送受信部１１０
第２送受信部１１０は、中継装置１０と固定基地局３０との間における信号の送受信と、故障診断時において第２送受信部との間で信号の送受信とを行うものであり、携帯電話機の通信機能を実現するものである。
【００２８】
第２送受信部１１０は、図２にて示すように、第２送信部１６０、第２受信部１６１及び第２測定部１６２を有している。
（６−１）第２送信部１６０
第２送信部１５０は、固定基地局３０へ送信すべき信号を送信アンテナ１０２を介して固定基地局３０へ送信、及び故障診断時において故障診断に用いる信号を第２ケーブル１１４を介して第１送受信部１０９へ送信するものであり、携帯電話機の通信機能のうち送信に係る機能を実現する。
【００２９】
第２送信部１６０は、故障診断時においては、第１送信部１５０と同様に、検査用の信号を出力する。
以下、第２送信部１６０の具体的な構成について説明する。
第２送信部１６０は、図３（ｃ）に示すように、変調回路２２０及び増幅回路２２１を有している。
【００３０】
変調回路２２０は、携帯電話機２０から送信され、第１送受信部１０９において復調（デコード）された信号や、検査用の信号を制御部１１２から受け取ると、受け取った復調された信号を符号化（エンコード）する回路である。
増幅回路２２１は、変調回路２２０にて符号化された信号の電力を、送信すべき電力へと増幅し、増幅された電力にて符号化された信号を分配器１０６へ出力する回路である。
【００３１】
（６−２）第２受信部１６１
第２受信部１６１は、固定基地局３０からの信号を受信アンテナ１０４を介して受信、及び故障診断時において検査用の信号を第１ケーブル１１３を介して第１送受信部１０９から受信し、受信した信号を増幅及び復調して制御部１１２へ出力するものであり、携帯電話機の通信機能のうち受信に係る機能を実現する。
【００３２】
第２送信部１６０は、通常、中継装置１０がハンドオーバーを行うために、同期信号及び固定基地局３０を識別する報知情報を含む報知信号を定期的に受信している。
以下、第２受信部１６１の具体的な構成について説明する。
第２受信部１６１は、図３（ｄ）にて示すように、フィルタ２３０、増幅回路２３１及び復調回路２３２を有している。フィルタ２３０、増幅回路２３１及び復調回路２３２のそれぞれは、フィルタ２１０、増幅回路２１１及び復調回路２１２のそれぞれと同様の機能動作を行うので、ここでの説明は省略する。
【００３３】
（６−３）第２測定部１６２
第２測定部１６２は、固定基地局３０からの信号を受信した場合に、受信した信号に対するＲＳＳＩ及びＣＩＮＲを測定する。また、第２測定部１５２は、故障診断時において、第２送信部１６０が第１送受信部１０９へ送信する検査用の信号の送信電力を測定し、且つ第１送受信部１０９から第１ケーブル１１３を介して受信した検査用の信号に対するＲＳＳＩ及びＣＩＮＲをも測定する。
【００３４】
（７）第１ケーブル１１３、第２ケーブル１１４及びスイッチ１１５〜１２０
第１ケーブル１１３及び第２ケーブル１１４それぞれは、分配器１０５と混合器１０８とを、混合器１０７と分配器１０６とを、それぞれ接続するためのものである。
スイッチ１１５及び１１６それぞれは、制御部１１２の制御により、送信アンテナ１０１と分配器１０５との間、及び送信アンテナ１０２と分配器１０６との間のそれぞれを接続したり、非接続にしたりする。
【００３５】
スイッチ１１７及び１１８それぞれは、制御部１１２の制御により、受信アンテナ１０３と混合器１０７との間、及び受信アンテナ１０４と混合器１０８との間のそれぞれを接続したり、非接続にしたりする。
スイッチ１１９及び１２０それぞれは、制御部１１２の制御により、分配器１０５と混合器１０８との間、及び混合器１０７と分配器１０６との間のそれぞれを接続したり、非接続にしたりする。スイッチ１１９及び１２０は、制御部１１２の制御がＯＮ・ＯＦＦ状態を切り替えることで、第１ケーブル１１３及び第２ケーブル１１４とが導通・非導通の状態となる、つまり、第１送受信部及び第２送受信部の間が導通・非導通の状態となる。
【００３６】
通常の運用時、つまり故障診断の非実行時には制御部１１２が、スイッチ１１９及び１２０をＯＦＦ状態とし、分配器１０５と混合器１０８との間、及び混合器１０７と分配器１０６との間のそれぞれを非接続にする。残りのスイッチ１１５〜１１８はＯＮとなっている。
故障診断時には制御部１１２が、スイッチ１１９及び１２０をＯＮ状態とし、分配器１０５と混合器１０８との間、及び混合器１０７と分配器１０６との間のそれぞれを接続状態にする。なお、他のスイッチ１１５〜１１８は、ＯＮの状態のままである。
【００３７】
（８）記憶部１１１
記憶部１１１は、ＨＤＤ（ＨａｒｄＤｉｓｃ Ｄｒｉｖｅ）、メモリ等を含んで構成され、中継装置１０が動作上必要とする設定情報、各種データ、プログラム、及び故障診断時にて検出した故障（装置の異常）に係る異常情報を記憶する機能を有する。ここで、異常情報とは、検出した時刻、エラー種別及びエラー事象からなるものである。エラー種別とは、ＲＳＳＩ、ＣＩＮＲ及びＢＥＲの何れかを示すものであり、エラー事象とは、検出したエラーの内容を示すものである。
【００３８】
具体的には、記憶部１１１は、故障診断の動作に係るプログラム及び故障の判断基準となるデータを含む各種リストを記憶している。各種リストとは、ＲＳＳＩの基づく故障診断に用いるＲＳＳＩリストＴ１００及びＣＩＮＲに基づく故障診断に用いるＣＩＮＲリストＴ２００及びＢＥＲに基づく故障診断に用いるＢＥＲリストＴ３００を記憶している。また、故障診断時に送受信する検査用の信号に含まれる検査用情報（データ）、第１送受信部１０９及び第２送受信部１１０にて行われる変調方式及び符号化率をも予め記憶している。なお、ここでは、第１送受信部１０９及び第２送受信部１１０それぞれにて行われる変調方式及び符号化率は同一のものとする。
【００３９】
以下、各種リストについて説明する。
（ＲＳＳＩリストＴ１００）
ＲＳＳＩリストＴ１００は、図４（ａ）にて示すように、送信電力、受信電力基準値、ＲＳＳＩ警告値（低）、ＲＳＳＩ警告値（高）、ＲＳＳＩ異常値（低）及びＲＳＳＩ異常値（高）からなる組を複数個有している。これらの値は、故障診断時において、第１送受信部１０９と第２送受信部１１０との間に介在する分配器１０５、１０６、混合器１０７、１０８、第１ケーブル１１３及び第２ケーブル１１４や、第１送受信部１０９及び第２送受信部１１０のそれぞれが有する増幅回路２０１、２１１、２２０、２３１の性能及び特性によって予め決定されたものである。
【００４０】
送信電力は、故障診断時において、送信側である送受信部から送信される信号（報知信号又は検査用の信号）の送信電力を示すものである。なお、ここでは、信号の送信側となる送受信部は、故障診断時において、ＲＳＳＩリストＴ１００にて示される送信電力のうち一の送信電力で信号を送信するものとする。
受信電力基準値は、故障診断時において、信号送信側の送受信部が送信した信号の送信電力に基づいて予め決定された値である。
【００４１】
ＲＳＳＩ警告値（低）は、受信側である送受信部が受信する信号の受信電力を正常の範囲内とみなすための下限値である。
ＲＳＳＩ警告値（高）は、受信側である送受信部が受信する信号の受信電力を正常の範囲内とみなすための上限値である。
ＲＳＳＩ異常値（低）は、受信側である送受信部が受信する信号の受信電力の異常の程度が、警告レベルのものであるのか異常レベルのものであるのかを切り分ける下限値である。つまり、受信電力が、ＲＳＳＩ警告値（低）からＲＳＳＩ異常値（低）の範囲内である場合には、その異常の程度が警告レベルであることを示し、ＲＳＳＩ異常値（低）を下回る場合には、異常レベルであることを示す。
【００４２】
ＲＳＳＩ異常値（高）は、受信側である送受信部が受信する信号の受信電力は正常値ではないが、警告レベルのものであり、運用に耐え得る電力であることを示す上限値である。つまり、受信電力が、ＲＳＳＩ警告値（高）からＲＳＳＩ異常値（高）の範囲内である場合には、その異常の程度が警告レベルであることを示し、ＲＳＳＩ異常値（高）を上回る場合には、異常レベルであることを示す。
【００４３】
（ＣＩＮＲリストＴ２００）
ＣＩＮＲリストＴ２００は、図４（ｂ）にて示すように、ＲＳＳＩ値、ＣＩＮＲ基準値、ＣＩＮＲ警告値及びＣＩＮＲ異常値からなる組を複数個有している。これらの値は、故障診断時において、第１送受信部１０９と第２送受信部１１０との間に介在する分配器１０５、１０６、混合器１０７、１０８、第１ケーブル１１３及び第２ケーブル１１４や、第１送受信部１０９及び第２送受信部１１０のそれぞれが有する増幅回路２０１、２１１、２２０、２３１の性能及び特性によって決定されるものである。
【００４４】
ＲＳＳＩ値は、故障診断時に測定されたＲＳＳＩの値を示すものである。
ＣＩＮＲ基準値は、測定されたＲＳＳＩ値に基づいて決定されるＣＩＮＲの値である。
ＣＩＮＲ警告値は、受信側である送受信部が受信する信号に対するＣＩＮＲの値を正常値であるとみなすための下限値である。
ＣＩＮＲ異常値は、受信側である送受信部が受信する信号に対するＣＩＮＲの値が、警告レベルのものであるのか異常レベルのものであるのかを切り分けるための値である。つまり、測定されたＣＩＮＲの値が、ＣＩＮＲ警告値からＣＩＮＲ異常値の範囲内である場合には、通信システムの運用には支障はないが、その異常の程度が警告レベルであることを示し、ＣＩＮＲ異常値以下である場合には、異常レベルであることを示す。
【００４５】
（ＢＥＲリストＴ３００）
ＢＥＲリストＴ３００は、図４（ｃ）にて示すように、ＲＳＳＩ値、ＣＩＮＲ基準値、変調方式・符号化率、ＢＥＲ基準値及びＢＥＲ異常値からなる組を複数個有している。ＢＥＲ基準値及びＢＥＲ異常値は、理論値若しくは実測値を元に導き出せるものである。
ＲＳＳＩ値は、故障診断時に測定されたＲＳＳＩの値を示すものである。
【００４６】
ＣＩＮＲ基準値は、測定されたＲＳＳＩ値に基づいて決定されるＣＩＮＲの値であり、その対応は、ＣＩＮＲリストＴ２００と同様である。
変調方式・符号化率は、送信する信号を変調する際の変調方式及び符号化率を示すものである。
ＢＥＲ基準値は、ＢＥＲの値が正常値であるとみなすための基準値であり、ＲＳＳＩ値、ＣＩＮＲ基準値及び変調方式・符号化率の組み合わせのよる理論値若しくは実測値を元に導き出されたものである。測定されたＢＥＲの値がＢＥＲ基準値以下である場合に、当該ＢＥＲの値は正常値であるとみなされる。
【００４７】
ＢＥＲ異常値は、測定されたＢＥＲの値が、正常レベルのものであるのか異常レベルのものであるのかを切り分けるための値である。つまり、測定されたＢＥＲの値が、ＢＥＲ基準値からＢＥＲ異常値の範囲内である場合には、通信システムの運用には支障はないが、その異常の程度が警告レベルであることを示し、ＢＥＲ異常値以上である場合には、異常レベルであることを示す。
【００４８】
（９）制御部１１２
制御部１１２は、記憶部１１１に記憶されているプログラムを実行することにより、中継装置１０の動作全体の制御を行うものである。
具体的には、制御部１１２は、第１送受信部１０９で受信された固定基地局３０へ送信すべき信号を第２送受信部１１０へ出力する。また、逆に、制御部１１２は、第２送受信部１１０で受信された携帯電話機２０へ送信すべき信号を第１送受信部１０９へ出力する。
【００４９】
また、制御部１１２は、故障診断を開始するための契機を監視しており、当該契機を検出すると、故障診断の動作を開始する。
以下、故障診断に係る構成要素及び機能について説明する。
制御部１１２は、故障診断に係る構成要素として、検知部１７０及び診断部１７１を有している。
【００５０】
（９−１）検知部１７０
検知部１７０は、故障診断を開始するための契機を監視するものである。
具体的には、検知部１７０は、第２送受信部１１０の第２測定部１６２で定期的に測定される報知信号のＲＳＳＩ、ＣＩＮＲの測定結果に基づいて、固定基地局３０からの電波状態及び通信状態を確認する。例えば、検知部１７０は、ＣＩＮＲの値が、固定基地局３０から受信すべき受信電力より低い場合、若しくは高い場合、及びＣＩＮＲの値が予め定められた値より高い場合を、電波状態及び通信状態が異常であると判断する。
【００５１】
また、検知部１７０は、携帯電話機２０が接続された直近の日時（以下、「端末最終接続日時」という。）と現在日時との差分が予め定められた設定値より大きいか否かを確認する。これにより、接続された携帯電話機の存否を確認することができる。
また、検知部１７０は、故障診断時刻として、予め設定された時刻が到来したか否かを確認する。
【００５２】
さらには、検知部１７０は、中継装置１０の管理者により故障診断の開始の指示を受け付けたか否かを確認する。
検知部１７０により、固定基地局３０からの電波状態及び通信状態の確認時において異常を検知した場合、端末最終接続日時と現在日時との差分が予め定められた設定値より大きい場合、故障診断時刻として予め設定された時刻が到来した場合、及び中継装置１０の管理者からの指示を受け付けた場合の何れかにおいて、故障診断が開始される。
【００５３】
（９−２）診断部１７１
診断部１７１は、第１送受信部１０９及び第２送受信部１１０から送信しされる信号の品質、つまり受信した信号のＲＳＳＩ、ＣＩＮＲ及びＢＥＲに基づいて、故障診断を行うものである。
具体的には、診断部１７１は、検知部１７０で故障診断を開始するための契機が検知されると、スイッチ１１９及び１２０をＯＮ状態に、つまり第１ケーブル１１３及び第２ケーブル１１４を導通し、故障診断の終了時及び中止時においてスイッチ１１９及び１２０をＯＦＦ状態に、つまり第１ケーブル１１３及び第２ケーブル１１４を非導通にする。
【００５４】
診断部１７１は、第１送受信部１０９から送信された報知信号が、第２送受信部１１０にて受信されたか否かを判断する。第１送受信部１０９から送信された報知信号が、第２送受信部１１０にて受信されたと判断する場合、診断部１７１は、第１測定部１５２にて測定された当該報知信号の出力時の電力と、第２測定部１６２にて測定された当該報知信号のＲＳＳＩ及びＣＩＮＲとを取得する。
【００５５】
診断部１７１は、取得したＲＳＳＩ及びＣＩＮＲに基づいて第１送受信部１０９の第１送信部１５０及び第２送受信部１１０の第２受信部１６１に対して異常が発生しているか否かを判定する。以下において、当該処理を異常判定処理という。
診断部１７１は、記憶部１１１にて記憶している検査用情報を含む検査用の信号を生成し、生成した検査用の信号を第２送信部１６０を介して出力する。診断部１７１は、第２送信部１６０から送信された検査用の信号が第１受信部１５１にて受信されると、第２測定部１６２にて測定された当該検査用の信号の出力時の電力と、第１測定部１５２にて測定された当該検査用の信号のＲＳＳＩ及びＣＩＮＲを取得する。
【００５６】
診断部１７１は、取得したＲＳＳＩ及びＣＩＮＲに基づいて、第１送受信部１０９の第１受信部１５１及び第２送受信部１１０の第２送信部１６０に対する異常判定処理を行う。また、診断部１７１は、第１受信部１５１が受信した検査用の信号に含まれる情報と、記憶部１１１にて記憶している検査用情報とから得られるＢＥＲを用いた異常判定処理を行う。
【００５７】
さらに、診断部１７１は、記憶部１１１にて記憶している検査用情報を含む検査用の信号を生成し、生成した検査用の信号を第１送信部１５０を介して出力する。診断部１７１は、第１送信部１５０から送信された検査用の信号が第２受信部１６１にて受信されると、第２受信部１６１が受信した検査用の信号に含まれる情報と、記憶部１１１にて記憶している検査用情報とから得られるＢＥＲを用いた異常判定処理を行う。
【００５８】
また、第１受信部１５１が携帯電話機２０からの接続要求若しくはハンドオーバーの要求を示す信号（以下、「要求信号」という。）を受信すると、診断部１７１は、故障診断を中止する。このような場面は、以下のような理由で起こり得る。故障診断中であってもスイッチ１１５がＯＮ状態であるので送信アンテナ１０１と第１送信部１５０とは導通したままとなり、第１送信部１５０は携帯電話機２０に対してハンドオーバーのための報知信号を送信しているからである。このような場合、第１受信部１５１が受信する信号は、混合器１０７により、要求信号と検査用の信号とが混在することがある。しかしながら、ＯＦＤＭによる通信形態では、周波数と時間とから決定される通信に用いる領域は、携帯電話機２０及び第２送受信部１１０それぞれにおいて異なるよう制御されている。そのため、要求信号と検査用の信号とが混在した場合であっても、これら領域から個別に信号を抽出することができるので、診断部１７１は、故障診断中においても、携帯電話機２０から要求信号を識別することができる。
【００５９】
以下、ＲＳＳＩ、ＣＩＮＲ及びＢＥＲそれぞれを用いた異常判定処理について説明する。
（ＲＳＳＩを用いた異常判定処理）
診断部１７１は、出力された信号に対する送信電力とＲＳＳＩリストＴ１００とを用いて、送信電力に対応するＲＳＳＩ警告値（低）及びＲＳＳＩ警告値（高）をＲＳＳＩリストＴ１００から特定する。診断部１７１は、取得したＲＳＳＩの値が、特定されたＲＳＳＩ警告値（低）及びＲＳＳＩ警告値（高）を用いて正常範囲内であるか否かを判断する。ここで、正常範囲内であるとは、測定されたＲＳＳＩの値が、特定されたＲＳＳＩ警告値（低）より大きく特定されたＲＳＳＩ警告値（高）より小さい範囲に属することである。
【００６０】
診断部１７１は、ＲＳＳＩの値が正常範囲内でないと判断する場合、当該値が特定されたＲＳＳＩ警告値（高）以上であるか否かを判断する。当該値が特定されたＲＳＳＩ警告値（高）以上であると判断する場合、診断部１７１は、検査用の信号の送信側における増幅回路のパラメータ異常と判断し、当該増幅回路のパラメータ調整を行う。この場合、診断部１７１は、増幅回路の増幅係数を下げて、ＲＳＳＩの値が正常範囲内となるようにする。当該値が特定されたＲＳＳＩ警告値（高）以上でない、つまり当該値が特定されたＲＳＳＩ警告値（低）以下であると判断する場合、診断部１７１は、信号の受信側の異常であると判断する。診断部１７１は、検出時刻と、エラー種別をＲＳＳＩ及びエラー事象を受信側の異常を示す旨とする情報とからなる異常情報を生成し、記憶部１１１に記憶するとともに、固定基地局３０を介してメンテナンスサーバ４０へ送信する。
【００６１】
（ＣＩＮＲを用いた異常判定処理）
診断部１７１は、取得したＲＳＳＩの値とＣＩＮＲリストＴ２００とを用いて、取得したＲＳＳＩに対応するＣＩＮＲ異常値を特定する。診断部１７１は、特定したＣＩＮＲ異常値を用いて、取得したＣＩＮＲの値が異常であるか否かを判断する。具体的には、診断部１７１は、ＣＩＮＲの値が、特定したＣＩＮＲ異常値以下であるか否かを判断する。
【００６２】
ＣＩＮＲの値が特定したＣＩＮＲ異常値以下であると判断する場合には、診断部１７１は、検出時刻と、エラー種別をＣＩＮＲ及びエラー事象をＣＩＮＲが低いことを示す情報とからなる異常情報を生成し、記憶部１１１に記憶するとともに、固定基地局３０を介してメンテナンスサーバ４０へ送信する。
ＣＩＮＲの値が特定したＣＩＮＲ異常値以下でないと判断する場合には、診断部１７１は、第１送受信部１０９及び第２送受信部１１０双方とも正常に動作しているものとみなす。
【００６３】
（ＢＥＲを用いた異常判定処理）
診断部１７１は、受信した信号に含まれる情報と、記憶部１１１にて記憶している検査用情報とを用いてＢＥＲを取得（測定）する。
診断部１７１は、記憶部１１１に記憶している変調方式及び符号化率を取得する。
診断部１７１は、測定されたＲＳＳＩの値とＣＩＮＲリストＴ２００とからＣＩＮＲ基準値を取得する。診断部１７１は、測定されたＲＳＳＩの値、取得したＢＥＲの値、ＣＩＮＲ基準値、変調方式及び符号化率とＢＥＲリストＴ３００とを用いて、ＢＥＲの値が異常であるか否かを判断する。具体的には、診断部１７１は、取得したＢＥＲの値が、ＢＥＲリストＴ３００においてＲＳＳＩの値、ＣＩＮＲ基準値、変調方式及び符号化率の組み合わせに対応するＢＥＲ異常値以上であるか否かを判断する。
【００６４】
ＢＥＲの値がＢＥＲ異常値以上であると判断する場合には、診断部１７１は、信号の復調に用いた復調回路若しくはその周辺回路に異常があるものとして、検出時刻と、エラー種別をＢＥＲ及びエラー事象をＢＥＲが高いことを示す情報とからなる異常情報を生成し、記憶部１１１に記憶するとともに、固定基地局３０を介してメンテナンスサーバ４０へ送信する。
【００６５】
ＢＥＲの値がＢＥＲ異常値以下であると判断する場合には、診断部１７１は、信号の復調に用いた復調回路が正常に動作しているものとみなす。
１．３  中継装置１０の動作
（１）全体的な処理
ここでは、故障診断処理に係る中継装置１０の動作について、図５にて示す流れ図を用いて説明する。
【００６６】
制御部１１２の検知部１７０は、第２送受信部１１０の第２測定部１６２で定期的に測定される報知信号のＲＳＳＩ、ＣＩＮＲの測定結果に基づいて、固定基地局３０からの電波状態及び通信状態を確認し（ステップＳ５）、第２送受信部１１０の機能動作が正常であるか否かを判断する（ステップＳ１０）。
第２送受信部１１０の機能動作が正常であると判断する場合（ステップＳ１０における「Ｙｅｓ」）、検知部１７０は、端末最終接続日時と現在日時とを取得し（ステップＳ１５）、端末最終接続日時と現在日時との差分が予め定められた設定値より大きいか否かを確認する（ステップＳ２０）。
【００６７】
差分が設定値より大きくない、つまり設定値以下であると判断する場合（ステップＳ２０における「Ｎｏ」）、検知部１７０は、中継装置１０の管理者により故障診断の開始の指示を受け付けたか、又は故障診断時刻として設定された時刻が到来したかを確認する（ステップＳ２５）。
指示を受け付けていない、又は故障診断時刻として設定された時刻が到来していないと判断する場合（ステップＳ２５における「Ｎｏ」）、処理は、ステップＳ５へと戻る。
【００６８】
検知部１７０において、第２送受信部１１０の機能動作が正常でない、つまり異常であると判断する場合（ステップＳ１０における「Ｎｏ」）、端末最終接続日時と現在日時との差分が予め定められた設定値より大きいと判断する場合（ステップＳ２０における「Ｙｅｓ」）、及び故障診断の開始の指示を受け付けた又は故障診断時刻として設定された時刻が到来したと判断する場合（ステップＳ２５における「Ｙｅｓ」）、診断部１７１は故障診断処理を実行して、中継装置１０の故障診断を行う（ステップＳ３０）。
【００６９】
（２）故障診断処理について
ここでは、図５にて示すステップＳ３０における故障診断処理について、図６及び図７に示す流れ図を用いて説明する。
診断部１７１は、検知部１７０で故障診断を開始するための契機が検知されると、スイッチ１１９及び１２０をＯＮ状態にして、第１ケーブル１１３及び第２ケーブル１１４を導通する（ステップＳ１００）。
【００７０】
診断部１７１は、第２受信部１６１が定期的に受信している報知信号を受信したか否かにより、基地局をスキャンしたか否かを判断する（ステップＳ１０５）。
基地局をスキャンしたと判断する場合（ステップＳ１０５における「Ｙｅｓ」）、診断部１７１は、スキャンした基地局は中継装置１０であるか否かを判断する（ステップＳ１１０）。具体的には、診断部１７１は、第２受信部１６１が受信した報知信号に中継装置１０を識別する報知情報が含まれるか否かを判断する。
【００７１】
スキャンした基地局が中継装置１０であると判断する場合（ステップＳ１１０における「Ｙｅｓ」）、第２送受信部１１０の第２測定部１６２は、第２受信部１６１が受信した報知信号に対するＲＳＳＩ及びＣＩＮＲを測定する（ステップＳ１１５）。なお、このとき、第１測定部１５２では、第１送信部１５０から送信された報知信号の送信電力を測定している。
【００７２】
診断部１７１は、測定されたＲＳＳＩを用いた異常判定処理、ＣＩＮＲを用いた異常判定処理を行う（ステップＳ１２０、Ｓ１２５）。
第２送受信部１１０の第２送信部１６０は、検査用の信号を送信する（ステップＳ１３０）。なお、このとき、第２測定部１６２では、第２送信部１６０から送信された検査用の信号の送信電力を測定している。
【００７３】
第１送受信部１０９の第１測定部１５２は、第１受信部１５１が受信した検査用の信号に対するＲＳＳＩ及びＣＩＮＲを測定する（ステップＳ１３５）。
診断部１７１は、測定されたＲＳＳＩを用いた異常判定処理、ＣＩＮＲを用いた異常判定処理、及びＢＥＲを用いた異常判定処理を行う（ステップＳ１４０、Ｓ１４５、Ｓ１５０）。
【００７４】
第１送受信部１０９の第１送信部１５０は、検査用の信号を送信する（ステップＳ１５５）。
診断部１７１は、第２受信部１６１が受信した検査用の信号に含まれる情報と検査用情報とから得られるＢＥＲを用いた異常判定処理を行う（ステップＳ１６０）。
診断部１７１は、全ての異常判定処理を終了すると、スイッチ１１９及び１２０をＯＦＦ状態にして、第１ケーブル１１３及び第２ケーブル１１４を非導通にする（ステップＳ１６５）。
【００７５】
基地局をスキャンしていないと判断する場合（ステップＳ１０５における「Ｎｏ」）及びスキャンした基地局が中継装置１０でないと判断する場合（ステップＳ１１０における「Ｎｏ」）、処理はステップＳ１０５へ戻る。
（３）ＲＳＳＩを用いた異常判定処理
ここでは、図６にて示すステップＳ１２０及びＳ１４０で行われる異常判定処理について説明する。
【００７６】
なお、ステップＳ１２０にて行われる異常判定処理と、ステップＳ１４０にて行われる異常判定処理とは、対象となる構成要素が第１送信部１５０及び第２受信部１６１であるか、第２送信部１６０及び第１受信部１５１であるかの違いであり、処理概念には差はない。
ここでは、ステップＳ１２０にて行われる異常判定処理についてのみ、図８にて示す流れ図を用いて説明し、ステップＳ１４０で行われる異常判定処理についての説明は省略する。
【００７７】
診断部１７１は、第２測定部１６２が測定したＲＳＳＩの値が正常範囲内であるか否かを判断する（ステップＳ２００）。具体的には、診断部１７１は、測定したＲＳＳＩの値が第１測定部１５２で測定した報知信号の送信電力に対応するＲＳＳＩ警告値（低）からＲＳＳＩ警告値（高）の範囲内であるか否かを判断する。
第２測定部１６２が測定したＲＳＳＩの値が正常範囲内でないと判断する場合（ステップＳ２００における「Ｎｏ」）、診断部１７１は、測定されたＲＳＳＩがＲＳＳＩ警告値（高）以上であるか否かを判断する（ステップＳ２０５）。
【００７８】
測定されたＲＳＳＩの値がＲＳＳＩ警告値（高）以上であると判断する場合（ステップＳ２０５における「Ｙｅｓ」）、診断部１７１は、報知信号を送信した第１送信部１５０における増幅回路２０１のパラメータ調整を行う（ステップＳ２１０）。具体的には診断部１７１は、増幅回路２０１の増幅係数を下げる。
パラメータの変更後、第１送信部１５０は、再度、報知信号を送信する（ステップＳ２１５）。第２測定部１６２は、再度送信された報知信号のＲＳＳＩを測定する（ステップＳ２２０）。診断部１７１は、再度計測されたＲＳＳＩの値が正常範囲内であるか否かを判断する（ステップＳ２２５）。正常範囲内であると判断する場合には（ステップＳ２２５における「Ｙｅｓ」）、処理は終了する。正常範囲内でないと判断する場合には、処理はステップＳ２１０へ戻る。
【００７９】
測定されたＲＳＳＩがＲＳＳＩ警告値（高）以上でない、つまりＲＳＳＩ警告値（低）以下であると判断する場合（ステップＳ２０５における「Ｎｏ」）、診断部１７１は、第２受信部１６１が異常である旨の異常情報を生成し、記憶部１１１に記憶するとともに、固定基地局３０を介してメンテナンスサーバ４０へ送信する（ステップＳ２３０、Ｓ２３５）。
【００８０】
以上が、ステップＳ１２０にて行われる異常判定処理である。ステップＳ１４０にて行われる異常判定処理は、上記の記載において、第１送受信部１０９における構成要素を第２送受信部１１０における構成要素へと、第２送受信部１１０における構成要素を第１送受信部１０９における構成要素へと、報知信号を検査用の信号へと、それぞれ変更すればよい。
【００８１】
（４）ＣＩＮＲを用いた異常判定処理
ここでは、図６にて示すステップＳ１２５及びＳ１４５で行われる異常判定処理について説明する。
なお、ステップＳ１２５にて行われる異常判定処理と、ステップＳ１４５にて行われる異常判定処理とは、対象となる構成要素が第２受信部１６１であるか、第１受信部１５１であるかの違いであり、処理概念には差はない。
【００８２】
ここでは、ステップＳ１２５にて行われる異常判定処理についてのみ、図９にて示す流れ図を用いて説明し、ステップＳ１４５で行われる異常判定処理についての説明は省略する。
診断部１７１は、ＣＩＮＲの値が、ＣＩＮＲ異常値以下であるか否かを判断する（ステップＳ３００）。
【００８３】
ＣＩＮＲの値がＣＩＮＲ異常値以下であると判断する場合には（ステップＳ３００における「Ｙｅｓ」）、診断部１７１は、検出時刻と、エラー種別をＣＩＮＲ及びエラー事象をＣＩＮＲが低いことを示す情報となからなる異常情報を生成し、記憶部１１１に記憶するとともに、固定基地局３０を介してメンテナンスサーバ４０へ送信する（ステップＳ３０５、Ｓ３１０）。
【００８４】
ＣＩＮＲの値がＣＩＮＲ異常値以下でないと判断する場合には（ステップＳ３００における「Ｎｏ」）、診断部１７１は、ＣＩＮＲの値は正常であるとして当該処理を終了する。
（５）ＢＥＲを用いた異常判定処理
ここでは、図６、７にて示すステップＳ１５０及びＳ１６０で行われる異常判定処理について説明する。
【００８５】
なお、ステップＳ１５０にて行われる異常判定処理と、ステップＳ１６０にて行われる異常判定処理とは、対象となる構成要素が第２受信部１６１であるか、第１受信部１５１であるかの違いであり、処理概念には差はない。
ここでは、ステップＳ１５０にて行われる異常判定処理についてのみ、図１０にて示す流れ図を用いて説明し、ステップＳ１６０で行われる異常判定処理についての説明は省略する。
【００８６】
診断部１７１は、受信した信号に含まれる情報と、記憶部１１１にて記憶している検査用情報とを比較してＢＥＲを取得する（ステップＳ４００）。
診断部１７１は、記憶部１１１に記憶している変調方式及び符号化率と、測定されたＲＳＳＩの値に対応するＣＩＮＲ基準値とを取得する（ステップＳ４０５）。具体的には、診断部１７１は、記憶部１１１から変調方式及び符号化率を取得し、測定されたＲＳＳＩの値に対応するＣＩＮＲ基準値をＣＩＮＲリストＴ２００から取得する。診断部１７１は、取得したＢＥＲの値が、ＢＥＲリストＴ３００においてＲＳＳＩの値、ＣＩＮＲ基準値、変調方式及び符号化率の組み合わせに対応するＢＥＲ異常値以上であるか否かを判断する。
【００８７】
ＢＥＲの値がＢＥＲ異常値以上であると判断する場合には（ステップＳ４０５における「Ｙｅｓ」）、診断部１７１は、検出時刻と、エラー種別をＢＥＲ及びエラー事象をＢＥＲが高いことを示す情報となからなる異常情報を生成し、記憶部１１１に記憶するとともに、固定基地局３０を介してメンテナンスサーバ４０へ送信する（ステップＳ４１０、Ｓ４１５）。
【００８８】
ＢＥＲの値がＢＥＲ異常値以上でないと判断する場合には（ステップＳ４０５における「Ｎｏ」）、診断部１７１は、ＢＥＲの値は正常であるとして当該処理を終了する。
１．４  その他
以上、実施の形態に基づいて説明したが、本発明は上記の実施の形態に限られない。例えば、以下のような変形例が考えられる。
【００８９】
（１）上記実施の形態では、スイッチ１１５〜１１８に対する制御について言及しなかったが、制御部１１２は、以下のようにスイッチ１１５〜１１８を制御してもよい。
制御部１１２は、ＲＳＳＩを用いた異常判定処理中に、測定されたＲＳＳＩの値が、ＲＳＳＩ異常値（低）以下、またはＲＳＳＩ異常値（高）以上である場合には、異常が検出された第１送受信部若しくは第２送受信部が運用に耐え得るものではないと判断し、スイッチ１１５〜１１８をＯＦＦ状態とし、携帯電話機２０及び固定基地局３０との通信が不可となるようにする。
【００９０】
また、制御部１１２は、ＣＩＮＲを用いた異常判定処理中も同様に、測定されたＣＩＮＲの値が、ＣＩＮＲ異常値以下である場合には、スイッチ１１５〜１１８をＯＦＦ状態とし、携帯電話機２０及び固定基地局３０との通信が不可となるようにする。
また、ＢＥＲを用いた異常判定処理中に、ビット誤りを検出すると、スイッチ１１５〜１１８をＯＦＦ状態とし、携帯電話機２０及び固定基地局３０との通信が不可となるようにする。
【００９１】
さらには、制御部１１２は、中継装置１０の管理者の指示によりスイッチ１１５〜１１８をＯＦＦ状態としてもよい。この場合、携帯電話機２０及び固定基地局３０と通信することなく、診断の専用モードで、故障診断を行うことができる。
さらには、スイッチ１１６、１１８を以下のように制御してもよい。
第２送受信部１１０は、常に固定基地局３０間との通信を行っているため、故障診断中において第１送受信部１０９から受信した信号のＲＳＳI、ＣＩＮＲが正確に測定できない。そこで、故障診断を開始するための契機を検出した場合、制御部１１２は、固定基地局３０との通信を不可とするためにスイッチ１１６、１１８をＯＦＦ状態としてもよい。
【００９２】
これにより、中継装置１０と固定基地局３０間との通信は切断されるが、第１送受信部１０９は送信アンテナ１０１にて報知信号を送信し続けているため、見掛け上サービスは継続している。固定基地局３０との通信が不可となっている間は、中継装置１０の第２送受信部１１０は、第１送受信部１０９から送信された信号の測定を行うことで自己診断・パラメータ調整を実施することができる。第１送受信部１０９が携帯電話機２０から要求信号を受信した場合、中継装置１０は、スイッチ１１６、１１８をＯＮ状態として、固定基地局３０との通信をただちに復旧させ、実サービスを開始させる。
【００９３】
（２）上記実施の形態において、端末最終接続日時と現在日時との差分が予め定められた設定値より大きい場合を、接続された携帯電話機が存在しない場合としたが、これに限定されない。
接続された携帯電話機が存在しない場合とは、携帯電話機が省電力のため、間欠送受信を行っている場合（間欠送受信の無通信区間）も含んでもよい。
【００９４】
または、間欠送受信の無通信区間とは、接続された携帯電話機がない状態であるとしてもよい。また、接続された携帯電話機が存在してもネットワーク側との送受信が発生しないケース、すなわち第２送受信部１１０において固定基地局３０間との送受信が必要ないケースを、接続された携帯電話機がない状態としてもよい。
（３）上記実施の形態においては、制御部１１２は、故障診断開始時において、第１ケーブル１１３及び第２ケーブル１１４の双方とも導通状態としたが、これに限定されない。
【００９５】
制御部１１２は、以下のようにスイッチ１１９及び１２０を制御してもよい。
制御部１１２は、第１送受信部１０９から第２送受信部１１０へ信号を送信する場合には、第１ケーブル１１３を導通状態とし、第２ケーブル１１４を非道通状態、つまりスイッチ１１９をＯＮ状態とし、スイッチ１２０をＯＦＦ状態とする。そして、制御部１１２は、第２送受信部１１０から第１送受信部１０９へ信号を送信する場合には、スイッチ１１９をＯＦＦ状態とし、スイッチ１２０をＯＮ状態とする。
【００９６】
これにより、信号を送信する一の送受信部は、他の送受信からケーブルを介して信号を受信することはないので、外部からの信号を無線通信により確実に受信することができる。
（４）上記実施の形態では、中継装置１０は、故障診断時に携帯電話機２０からの要求信号を受信すると、実行中の故障診断を中止したが、これに限定されない。
【００９７】
中継装置１０は、故障診断時に携帯電話機２０からの要求信号を受信すると、実行中の処理のブレイクポイントを記憶しておき、処理を中断してもよい。そして、中継装置１０は、再度、故障診断を開始するための契機を検知すると、ブレイクポイント、つまり処理を中断した箇所から故障診断を行えばよい。
（５）上記実施の形態において、送信アンテナ１０１、１０２と、受信アンテナ１０３、１０４とを個別の構成としたが、これに限定されない。
【００９８】
送信アンテナ１０１と受信アンテナ１０３とを、送受信される信号を合成・分配する１つの送受信アンテナとしてもよい。
また、送信アンテナ１０２と受信アンテナ１０４についても同様に、１つの送受信アンテナとしてもよい。
また、上記実施の形態では、第１送受信部１０９及び第２送受信部１１０それぞれにおいて、単一の送信アンテナ及び受信アンテナを設けたが、これに限定されない。
【００９９】
第１送受信部１０９及び第２送受信部１１０それぞれは、ＭＩＭＯ（Ｍｕｌｔｉ  Ｉｎｐｕｔ  Ｍｕｌｔｉ  Ｏｕｔｐｕｔ）を使用する場合のように複数の送信アンテナ及び複数の受信アンテナを設けてもよい。
（６）上記実施の形態では、ＲＳＳＩリストＴ１００を正常、異常の切り分けのみに用いたが、これに限定されない。
【０１００】
ＲＳＳＩリストＴ１００は、計測されたＲＳＳＩの値を正常、警告、異常の切り分けに用いられてもよい。
診断部１７１は、計測されたＲＳＳＩの値が正常範囲でないと判断する場合、さらに、ＲＳＳＩの値が、ＲＳＳＩ異常値（低）からＲＳＳＩ警告値（低）の範囲内であるか、又はＲＳＳＩ警告値（高）からＲＳＳＩ異常値（高）の範囲内であるかを判断する。ＲＳＳＩの値がこれらの何れかの範囲内である場合には、パラメータの変更は行わず、ＲＳＳＩの値が警告レベルであることを示す情報を記憶部１１１に記憶すると共に、メンテナンスサーバ４０へ送信する。なお、ＲＳＳＩの値がＲＳＳＩ警告値（高）からＲＳＳＩ異常値（高）の範囲内にある場合には、診断部１７１は、上記と同様に、警告レベルであることを示す情報を記憶部１１１に記憶すると共に、メンテナンスサーバ４０へ送信し、さらに、パラメータ変更を行ってもよい。
【０１０１】
診断部１７１は、ＲＳＳＩの値がＲＳＳＩ異常値（低）からＲＳＳＩ警告値（低）の範囲内になく、かつＲＳＳＩ警告値（高）からＲＳＳＩ異常値（高）の範囲内にもない場合、パラメータの変更は行わず、異常情報を記憶部１１１に記憶すると共に、メンテナンスサーバ４０へ送信する。なお、ＲＳＳＩの値がＲＳＳＩ異常値（高）以上である場合には、診断部１７１は、異常情報を記憶部１１１に記憶すると共に、メンテナンスサーバ４０へ送信し、さらに、パラメータ変更を行ってもよい。
【０１０２】
また、診断部１７１は、ＲＳＳＩの値がＲＳＳＩ異常値（低）からＲＳＳＩ警告値（低）の範囲内になく、かつＲＳＳＩ警告値（高）からＲＳＳＩ異常値（高）の範囲内にもない場合、異常情報を送信した後、スイッチ１１５〜１１８をＯＦＦ状態とし、携帯電話機２０及び固定基地局３０との通信が不可となるようにしてもよい。
（７）上記実施の形態では、ＣＩＮＲリストＴ２００を正常、異常の切り分けのみに用いたが、これに限定されない。
【０１０３】
ＣＩＮＲリストＴ２００は、計測されたＣＩＮＲの値を正常、警告、異常の切り分けに用いられてもよい。
診断部１７１は、計測されたＣＩＮＲの値がＣＩＮＲ警告値より以上であるか否かを判断する。ＣＩＮＲの値がＣＩＮＲ警告値以上であると判断する場合には、診断部１７１は、ＣＩＮＲの値は正常値であるとする。
【０１０４】
ＣＩＮＲの値がＣＩＮＲ警告値以上でないと判断する場合、さらに、ＣＩＮＲの値がＣＩＮＲ警告値とＣＩＮＲ異常値との範囲内にあるか否かを判断する。
ＣＩＮＲの値がＣＩＮＲ警告値とＣＩＮＲ異常値との範囲内である場合には、診断部１７１は、ＣＩＮＲの値が警告レベルであることを示す情報を記憶部１１１に記憶すると共に、メンテナンスサーバ４０へ送信する。
【０１０５】
診断部１７１は、ＣＩＮＲの値がＣＩＮＲ警告値とＣＩＮＲ異常値との範囲内でない場合、つまりＣＩＮＲ異常値以下である場合、診断部１７１は、異常情報を記憶部１１１に記憶すると共に、メンテナンスサーバ４０へ送信する。
また、診断部１７１は、ＣＩＮＲの値がＣＩＮＲ異常値以下である場合、異常情報を送信した後、スイッチ１１５〜１１８をＯＦＦ状態とし、携帯電話機２０及び固定基地局３０との通信が不可となるようにしてもよい。
【０１０６】
（８）上記実施の形態では、ＢＥＲリストＴ３００を正常、異常の切り分けのみに用いたが、これに限定されない。
ＢＥＲリストＴ３００は、計測されたＢＥＲの値を正常、警告、異常の切り分けに用いられてもよい。
診断部１７１は、計測されたＢＥＲの値がＢＥＲ基準値以下であるか否かを判断する。ＢＥＲの値がＢＥＲ基準値以下であると判断する場合には、診断部１７１は、ＢＥＲの値は正常値であるとする。
【０１０７】
ＢＥＲの値がＢＥＲ基準値以下でないと判断する場合、さらに、ＢＥＲの値がＢＥＲ基準値とＢＥＲ異常値との範囲内にあるか否かを判断する。
ＢＥＲの値がＢＥＲ基準値とＢＥＲ異常値との範囲内である場合には、診断部１７１は、ＢＥＲが警告レベルであることを示す情報を記憶部１１１に記憶すると共に、メンテナンスサーバ４０へ送信する。
【０１０８】
診断部１７１は、ＢＥＲの値がＢＥＲ基準値とＢＥＲ異常値との範囲内でない場合、つまりＢＥＲ異常値以上である場合、診断部１７１は、異常情報を記憶部１１１に記憶すると共に、メンテナンスサーバ４０へ送信する。
また、診断部１７１は、ＢＥＲの値がＢＥＲ異常値以上である場合、異常情報を送信した後、スイッチ１１５〜１１８をＯＦＦ状態とし、携帯電話機２０及び固定基地局３０との通信が不可となるようにしてもよい。
【０１０９】
（９）上記実施の形態において、計測されたＲＳＳＩの値が異常値（低）以下である場合、診断部１７１は、異常情報を生成し、記憶部１１１に記憶すると共に、メンテナンスサーバ４０へ送信したが、これに限定されない。
計測されたＲＳＳＩの値が異常値（低）以下である場合、診断部１７１は、第１送受信部１０９と第２送受信部１１０における受信部の信頼性が非常に高い場合、送信側の不具合と判断し、ＲＳＳＩの値が正常範囲の上限値を超える場合と同様に、増幅回路のパラメータの変更してもよい。具体的には、診断部１７１は、増幅係数を上げることで、ＲＳＳＩの値が正常範囲内となるようにする。
【０１１０】
（１０）上記実施の形態において、中継装置１０は、検査用情報を予め記憶して、それをＢＥＲの取得時に用いたが、これに限定されない。
例えば、検査用の信号に含まれる情報は、０から９までの数値を繰り返すといった予め定められた規則に基づいて、当該情報を含む検査用信号を送信してもよい。
受信側では、受け取った検査用の信号に含まれる情報が予め定められた規則と一致しない部分を誤りとして検出することで、そのＢＥＲを取得することができる。
【０１１１】
（１１）上記実施の形態において、中継装置１０は、ＢＥＲリストＴ３００を用いて、ＢＥＲの正常・異常を切り分けたが、これに限定されない。
中継装置は、受信した信号において誤りの有無によって、つまりＢＥＲの値が、０であるかそれ以外であるかによって、ＢＥＲの正常・異常を切り分けてもよい。
（１２）上記実施の形態において、第１送受信部１０９と第２送受信部１１０とを同じ筐体内にあるとしたが、これに限定されない。
【０１１２】
第１送受信部１０９と第２送受信部１１０は、異なる筐体内に存在してもよい。この場合、制御部１１２は、第１送受信部１０９が存在する筐体内にあってもよいし、第２送受信部１１０が存在する筐体内にあってもよいし、又はこれら筐体とは異なる筐体内にあってもよい。
（１３）上記実施の形態において、故障診断時には、ＲＳＳＩ、ＣＩＮＲ及びＢＥＲの３種類の値を用いて診断したが、これに限定されない。
【０１１３】
診断部１７１は、これら値のうち少なくとも１種類の値を用いて故障診断を行ってもよい。
（１４）上記の実施の形態で説明した手法の手順を記述したプログラムをメモリに記憶しておき、ＣＰＵ（Central Processing Unit）などがメモリからプログラムを読み出して、読み出したプログラムを実行することによって、上記の手法が実現されるようにしてもよい。
【０１１４】
また、当該手法の手順を記述したプログラムを記録媒体に格納して、頒布するようにしてもよい。
（１５）上記実施の形態において、中継装置１０は、当該中継装置１０の管理者により故障診断の開始の指示を受け付けたが、これに限定されない。
通信事業者から指示を受け付けてもよいし、メンテナンスサーバ４０から故障診断の開始のコマンドを受け付けてもよい。
【０１１５】
（１６）本実施の形態では、第１ケーブル１１３及び第２ケーブル１１４を、第１送受信部１０９及び第２送受信部１１０との間の信号の送受信に用いることで記載したが、必ずしもこの場合に限られない。第１送受信部１０９と第２送受信部１１０との間の信号の送受信に用いる手段として、例えば、第１送受信部１０９と第２送受信部１１０との間の信号を、中継装置１０が使用していない周波数帯を用いた無線通信で行ってもよい。また、有線で通信する場合には光ケーブルを用いて行ってもよい。
【０１１６】
（１７）上記実施の形態及び変形例を組み合わせるとしてもよい。
１．５  まとめ
（１）通常、実施の形態にて示す通信システム１では、第２送受信部１１０では固定基地局３０とのネゴシエーションにより送信電力を制御している。そのため送信電力は一定にはならないが、その際の送信電力は第２送受信部１１０で把握しているため、それから第１送受信部１０９で信号を受信する際の電力は計算することができる。第１送受信部１０９では第２送受信部１１０より受信した信号のＲＳＳＩ、ＣＩＮＲおよび復調結果（ＢＥＲ）から故障診断やパラメータ調整が可能である。またＲＳＳＩ、ＣＩＮＲを正確に測定するためには第１送受信部１０９が携帯電話機２０と通信を行っていない必要がある。他の端末との通信を検出した場合、中継装置１０は、ＲＳＳＩ、ＣＩＮＲ及びＢＥＲを用いた呼称診断やパラメータ調整をただちに中止することで、実サービスの質の低下を防ぐことができる。
【０１１７】
（２）本実施の形態にて示す中継装置は、携帯端末機との間で通信を行う第１送受信手段と固定基地局との間で通信を行う第２送受信手段とを備え、前記携帯端末機と前記固定基地局との通信の中継を担う中継装置であって、自己の故障診断を開始するための契機を検知する検知手段と、前記故障診断をする場合において、前記第１送受信手段と前記第２送受信手段との間の信号の送受信に用いられる第１及び第２の中継手段と、前記検知手段により前記契機が検知された場合、前記第１送受信手段から送信され、前記第１の中継手段を介して前記第２送受信手段で受信された第１信号と、前記第２送受信手段から送信され、前記第２の中継手段を介して前記第１送受信手段で受信された第２信号とを用いて、自機の故障診断を行う診断手段とを備えることを特徴とする。
【０１１８】
この構成によると、中継装置は、故障診断用に専門の構成要素を有することなく、自己の故障診断を行うことができる。
（３）ここで、前記診断手段は、前記第１信号を用いて、前記第１送受信手段における送信機能と前記第２送受信手段における受信機能とに対する故障診断を行い、前記第２信号を用いて、前記第１送受信手段における受信機能と前記第２送受信手段における送信機能とに対する故障診断を行うとしてもよい。
【０１１９】
この構成によると、中継装置は、第１送受信手段と第２送受信手段との間で、第１及び第２の中継手段を介して通信を行い、第１信号を用いて第１送受信手段の送信機能と第２送受信手段の受信機能とに対する故障診断を行い、第２信号を用いて第１送受信手段の受信機能と第２送受信手段の送信機能とに対する故障診断を行っている。これにより、中継装置は、第１送受信手段及び第２送受信手段の双方における故障を検出することができる。
【０１２０】
（４）ここで、前記第１送受信手段は、送信機能を担う第１送信部と、受信機能を担う第１受信部とを備え、前記第２送受信手段は、送信機能を担う第２送信部と、受信機能を担う第２受信部とを備え、前記第１送信部は、故障診断時において、前記第１の中継手段を介して前記第２受信部へ前記第１信号を送信し、前記第２送信部は、故障診断時において、前記第２の中継手段を介して前記第１受信部へ前記第２信号を送信し、前記診断手段は、前記第１信号に対するＲＳＳＩ（Ｒｅｃｅｉｖｅｄ  Ｓｉｇｎａｌ  Ｓｔｒｅｎｇｔｈ  Ｉｎｄｉｃａｔｏｒ）に基づいて、前記第１送信部及び前記第２受信部の故障診断を行い、前記第２信号に対するＲＳＳＩに基づいて、前記第１受信部及び前記第２送信部の故障診断を行い、前記第１信号に対するＲＳＳＩ及び前記第２信号に対するＲＳＳＩのうち少なくとも一方が、予め定められた範囲内にない場合に、診断対象である送信部及び／又は受信部が異常であると判断するとしてもよい。
【０１２１】
この構成によると、中継装置は、第１信号及び第２信号それぞれに対するＲＳＳＩに基づいて、第１送受信手段及び第２送受信手段の故障を検出することができる。
（５）ここで、前記診断手段は、前記範囲内にない信号に対するＲＳＳＩの値が、前記範囲内の上限以上である場合には、当該ＲＳＳＩに対する信号に基づく診断対象である送信部が異常であると判断し、受信すべき信号のＲＳＳＩが正常となるよう当該送信部からの送信電力を下げ、当該ＲＳＳＩの値が、前記範囲内の下限以下である場合には、送受信電力に係る故障を示す旨情報を外部装置へ通知するとしてもよい。
【０１２２】
この構成によると、中継装置は、ＲＳＳＩの値が予め定められた範囲の上限以上である場合には、送信すべき信号の送信電力を下げることで自己修復を行うことができる。また、ＲＳＳＩの値が予め定められた範囲の下限以下である場合には、中継装置は、故障を示す情報を外部装置へ通知するので、通知を受け取った人が検出された故障に対する対処を行うことができる。
【０１２３】
（６）ここで、前記診断手段は、さらに、前記第１信号に対するＣＩＮＲ（Ｃａｒｒｉｅｒ  ｔｏ  Ｉｎｔｅｒｆｅｒｅｎｃｅ  ｐｌｕｓ  Ｎｏｉｓｅ  Ｒａｔｉｏ）に基づいて、前記第１送信部及び前記第２受信部との故障診断を行い、前記第２信号に対するＣＩＮＲに基づいて、前記第１受信部及び前記第２送信部の故障診断を行い、前記第１信号に対するＣＩＮＲ及び前記第２信号に対するＣＩＮＲのうち少なくとも一方が、予め定められた値以下である場合に、診断対象である送信部及び／又は受信部が異常であると判断するとしてもよい。
【０１２４】
この構成によると、中継装置は、第１信号及び第２信号それぞれに対するＣＩＮＲに基づいて、第１送受信手段及び第２送受信手段の故障を検出することができる。
（７）ここで、前記診断手段は、さらに、前記第１信号に対するＢＥＲ（Ｂｉｔ  Ｅｒｒｏｒ  Ｒａｔｅ）に基づいて、前記第１送信部及び前記第２受信部との故障診断を行い、前記第２信号に対するＢＥＲに基づいて、前記第１受信部及び前記第２送信部の故障診断を行い、前記第１信号に対するＢＥＲ及び前記第２信号に対するＢＥＲのうち少なくとも一方が、予め定められた値以上である場合に、診断対象である送信部及び／又は受信部が異常であると判断するとしてもよい。
【０１２５】
この構成によると、中継装置は、第１信号及び第２信号それぞれに対するＢＥＲに基づいて、第１送受信手段及び第２送受信手段の故障を検出することができる。
（８）ここで、前記第１の中継手段には、前記診断時には前記第１送信部と前記第２受信部との間を導通し、非診断時には非導通とすべく第１のスイッチを有しており、前記第２の中継手段には、前記診断時には前記第１受信部と前記第２送信部との間を導通し、非診断時には非導通とすべく第２のスイッチを有しており、前記第１送信部及び前記第１受信部それぞれには、携帯電話機と通信を行うための第１送信アンテナ及び第１受信アンテナが接続され、前記第２送信部及び前記第２受信部それぞれには、携帯電話機と通信を行うための第２送信アンテナ及び第２受信アンテナが接続され、前記検知手段は、当該中継装置を含む通信システムの運用中に、自己の故障診断を開始するための前記契機を検知し、前記診断手段は、前記検知手段で前記契機が検知されると、前記通信システムの運用と並行して前記故障診断を行うべく、前記第１及び前記第２の中継手段双方ともが前記第１送受信手段と前記第２送受信手段との間を導通するよう前記第１及び第２のスイッチの双方ともを制御するとしてもよい。
【０１２６】
この構成によると、中継装置は、携帯電話機と固定基地局との通信を止めることなく、第１送受信手段と第２送受信手段との診断を行う。つまり、中継装置は、携帯電話機に対する通信システムの運用を行いつつ、故障の検出を行うことができる。
（９）ここで、前記第１の中継手段には、前記診断時には前記第１送信部と前記第２受信部との間を導通し、非診断時には非導通とすべく第１のスイッチを有しており、前記第２の中継手段には、前記診断時には前記第１受信部と前記第２送信部との間を導通し、非診断時には非導通とすべく第２のスイッチを有しており、前記第１送信部及び前記第１受信部それぞれには、携帯電話機と通信を行うための第１送信アンテナ及び第１受信アンテナが接続され、前記第２送信部及び前記第２受信部それぞれには、携帯電話機と通信を行うための第２送信アンテナ及び第２受信アンテナが接続され、前記検知手段は、当該中継装置を含む通信システムの運用中に、自己の故障診断を開始するための前記契機を検知し、前記診断手段は、前記検知手段で前記契機が検知されると、前記通信システムの運用と並行して前記故障診断を行うべく、前記第１信号を送信する場合には、前記第１の中継手段が前記第１送信部と前記第２受信部との間を導通するよう前記第１のスイッチを制御するとともに、第２の中継手段が前記第１受信部と前記第２送信部との間を非導通とするよう前記第２のスイッチを制御し、前記第２信号を送信する場合には、前記第２の中継手段が前記第１受信部と前記第２送信部との間を導通するよう前記第２のスイッチを制御するとともに、第１の中継手段が前記第１送信部と前記第２受信部との間を非導通とするよう前記第１のスイッチを制御するとしてもよい。
【０１２７】
この構成によると、中継装置は、携帯電話機と固定基地局との通信を止めることなく、第１送受信手段と第２送受信手段との故障診断を行う。さらに、中継装置は、一のケーブルを導通にし、他のケーブルを非導通とするので、前記一のケーブルを用いて信号を送信する一の送受信手段は、他の送受信手段から信号を受信することはない。つまり、前記一の送受信手段は、診断中において、通信システムの運用上、必要な信号のみを外部（携帯電話機若しくは固定基地局）から確実に受信することができる。
【０１２８】
（１０）ここで、前記診断手段は、前記第１受信部が携帯電話機から通信に係る要求信号を受信した場合、前記診断を中断又は中止するとともに、前記第１及び前記第２の中継手段それぞれが前記第１送受信手段と前記第２送受信手段との間を非導通となるよう前記第１及び前記第２のスイッチを制御するとしてもよい。
この構成によると、中継装置は、携帯電話機からの要求信号を受信すると、診断を中止又は中断するので、通信システムの運用に対して診断の影響を与えることはない。
【０１２９】
（１１）ここで、前記第２受信部は、故障診断時において、第２受信アンテナ及び前記第２の中継手段を用いて、ハンドオーバーすべく基地局のスキャニングを行っており、前記第１信号は、当該中継装置を識別する報知情報を含んだ前記スキャニングの対象の信号であり、前記診断手段は、前記第２送受信手段による前記スキャニングで受信された信号に当該中継装置を識別する報知情報が含まれている場合に、当該受信した信号を用いて前記第１送受信手段及び前記第２送受信手段の故障を診断するとしてもよい。
【０１３０】
この構成によると、中継装置は、スキャニング対象の信号を用いて診断を行っている。つまり、中継装置は、通常の通信サービスの運用で用いる信号、及びスキャニングの機能を用いているので、通常の運用時の機能と並存して実行することができる。
（１２）ここで、  前記検知手段が前記契機を検知するとは、前記固定基地局との通信が異常であること、携帯電話機と一定時間以上接続がなされていないこと、予め定められた時刻が到来したこと及び当該中継装置の管理者から故障診断を行う旨の指示を受け付けたことの何れかを検知することであるとしてもよい。
【０１３１】
この構成によると、中継装置は、前記固定基地局との通信が異常であること、携帯電話機と一定時間以上接続がなされていないこと、予め定められた時刻が到来したこと及び当該中継装置の管理者から故障診断を行う旨の指示を受け付けたことの何れかを検知することで、診断を開始する。これにより、通信サービスの管理者は、診断を必要とするタイミングで中継装置に診断を行わせることができる。
【０１３２】
（１３）ここで、前記第１及び第２の中継手段それぞれは、第１及び第２のケーブルであるとしてもよい。
この構成によると、中継装置は、第１及び第２のケーブルを用いることで、第１信号及び第２信号の送受信を行うための構成を容易に構築できる。
【産業上の利用可能性】
【０１３３】
本発明は、通信システムにおいて、携帯電話機と同等の通信機能及び固定基地局と同等の通信機能とを有する中継装置の故障診断に有用である。
【符号の説明】
【０１３４】
１    通信システム
１０    中継装置
２０    携帯電話機
３０    固定基地局
４０    メンテナンスサーバ
１０１、１０２    送信アンテナ
１０３、１０４    受信アンテナ
１０５、１０６    分配器
１０７、１０８    混合器
１０９    第１送受信部
１１０    第２送受信部
１１１    記憶部
１１２    制御部
１１３    第１ケーブル
１１４    第２ケーブル
１１５〜１２０    スイッチ
１５０    第１送信部
１５１    第１受信部
１５２    第１測定部
１６０    第２送信部
１６１    第２受信部
１６２    第２測定部
１７０    検知部
１７１    診断部
【図１】
2011097295.tif 000003
【図２】
2011097295.tif 000004
【図３】
2011097295.tif 000005
【図４】
2011097295.tif 000006
【図５】
2011097295.tif 000007
【図６】
2011097295.tif 000008
【図７】
2011097295.tif 000009
【図８】
2011097295.tif 000010
【図９】
2011097295.tif 000011
【図１０】
2011097295.tif 000012